(57)【特許請求の範囲】
【請求項１】
端末に検出装置を設置し、前記検出装置に検出されるタグ装置をスタイラスペンに設置し、
前記検出装置が、前記タグ装置に予め設定されたタグ情報を検出し、検出結果に基づいて、前記スタイラスペンを認証するステップを含み、
前記スタイラスペンのために、リネームすることと、表示画面を追加することと、クループ設定することと、応答ベルを設定することと、認証通過指示音を設定することと、応用場景モードを設定することのうち、少なくとも１つをさらに含み、
前記スタイラスペンのリネーム、表示画面の追加、応答ベルの設定、認証通過指示音の設定を行う場合、認証を通過すると、前記認証通過指示音を流して、前記スタイラスペンの名称、表示画面を表示し、前記スタイラスペンの操作時に、前記応答ベルを放送し、
前記スタイラスペンの応用場景モードを設定した場合、
端末がマナーモード又は対応する特別な電話、目覚まし時計ベルになると、当該スタイラスペンの認証を通過した後、端末は、対応する場景モードに自動的に切り替えすることと、
前記スタイラスペンに対応する壁紙、デスクトップ、ベルを設定していると、当該スタイラスペンの認証を通過した後、端末は、対応する壁紙、デスクトップ、ベルに自動的に切り替えすることと、
前記スタイラスペンに対応する呼び出し制御を予め設定していると、当該スタイラスペンの認証を通過した後、端末は、応答呼出制御を自動的にオンすることと、
前記スタイラスペンに対応するホワイトリスト/ブラックリストを設定していると、当該スタイラスペンの認証を通過した後、端末は、当該ホワイトリスト/ブラックリストを自動的にオンすることと、
前記スタイラスペンの認証と端末によるスクリーン操作のロック解除とを合わせると設定していると、認証が成功した後、自動的にスクリーンのロックを解除することのうち、少なくとも１つをさらに含むことを特徴とする端末によるスタイラスペンの認証方法。
【請求項２】
前記検出装置が、前記タグ装置に予め設定されたタグ情報を検出し、検出結果に基づいて、前記スタイラスペンを認証することが、
前記検出装置が、前記タグ装置に予め設定されたタグ情報を読み取って、読み取られたタグ情報と前記端末に予め設定された認証情報とを整合し、
整合結果が一致すると、前記端末が、前記スタイラスペンの操作への応答を許可し、
整合結果が不一致であると、前記端末が、前記スタイラスペンの操作への応答を拒絶することであることを特徴とする請求項１に記載の方法。
【請求項３】
前記検出装置による前記タグ装置に予め設定されたタグ情報の読取は、非接触式読取又は接触式読取であることを特徴とする請求項２に記載の方法。
【請求項４】
前記認証情報は、一つ又は複数のスタイラスペンを認証するための情報であることを特徴とする請求項２に記載の方法。
【請求項５】
スタイラスペンに設置されたタグ装置に予め設定されたタグ情報を検出し、検出結果に基づいて前記スタイラスペンを認証する検出装置が設けられ、
前記スタイラスペンのために、リネームすることと、表示画面を追加することと、クループ設定することと、応答ベルを設定することと、認証通過指示音を設定することと、応用場景モードを設定することのうち、少なくとも１つを行うように設けられ、
前記スタイラスペンのリネーム、表示画面の追加、応答ベルの設定、認証通過指示音の設定を行う場合、認証を通過すると、前記認証通過指示音を流して、前記スタイラスペンの名称、表示画面を表示し、前記スタイラスペンの操作時に、前記応答ベルを放送し、
前記スタイラスペンの応用場景モードを設定した場合、
端末がマナーモード又は対応する特別な電話、目覚まし時計ベルになると、当該スタイラスペンの認証を通過した後、端末は、対応する場景モードに自動的に切り替えすることと、
前記スタイラスペンに対応する壁紙、デスクトップ、ベルを設定していると、当該スタイラスペンの認証を通過した後、端末は、対応する壁紙、デスクトップ、ベルに自動的に切り替えすることと、
前記スタイラスペンに対応する呼び出し制御を予め設定していると、当該スタイラスペンの認証を通過した後、端末は、応答呼出制御を自動的にオンすることと、
前記スタイラスペンに対応するホワイトリスト/ブラックリストを設定していると、当該スタイラスペンの認証を通過した後、端末は、当該ホワイトリスト/ブラックリストを自動的にオンすることと、
前記スタイラスペンの認証と端末によるスクリーン操作のロック解除とを合わせると設定していると、認証が成功した後、自動的にスクリーンのロックを解除することのうち、少なくとも１つをさらに行うように設けられていることを特徴とする端末。
【請求項６】
前記検出装置が、ＲＦＩＤリーダー又はＮＦＣリーダーであることを特徴とする請求項５に記載の端末。
【請求項７】
前記端末に、認証機能をオン及び/又はオフするための制御ブロックがさらに設置されることを特徴とする請求項５又は６に記載の端末。
【発明の詳細な説明】
【技術分野】
【０００１】
本発明は、通信分野に関し、具体的に、端末認証方法及び端末に関するものである。
【背景技術】
【０００２】
電子技術の発展に伴って、さまざまな電子機器が出現され、現在、例えばタッチパネルケータイのような多くの電子機器がスタイラスペン操作を支援している。タッチパネルケータイはますます汎用されているが、多くのタッチパネルケータイはスタイラスペンの認証を行うことができなく、普通は任意のスタイラスペンによる操作を支援し、これにより、ケータイの安全性上の問題をもたらしてしまう。
【発明の概要】
【発明が解決しようとする課題】
【０００３】
本発明は、既存技術において端末がスタイラスペンに認証を行うことができない技術課題を解決できる端末認証方法及び端末を提供することをその目的とする。
【課題を解決するための手段】
【０００４】
上記目的を実現するため、本発明によると、
端末に検出装置を設置し、前記検出装置に検出されるタグ装置をスタイラスペンに設置し、
前記検出装置が、前記タグ装置に予め設定されたタグ情報を検出し、検出結果に基づいて、前記スタイラスペンに認証を行うステップを含む端末の認証方法を提供する。
【０００５】
上記方法において、前記検出装置が、前記タグ装置に予め設定されたタグ情報を検出し、検出結果に基づいて、前記スタイラスペンに認証を行うことが、
前記検出装置が、前記タグ装置に予め設定されたタグ情報を読み取って、読み取られたタグ情報と前記端末に予め設定された認証情報とを整合し、
整合結果が一致すると、前記端末が、前記スタイラスペンの操作への応答を許可し、
整合結果が不一致であると、前記端末は前記スタイラスペンの操作への応答を拒絶することである。
【０００６】
上記方法において、前記検出装置による前記タグ装置に予め設定されたタグ情報の読取は、非接触式読取又は接触式読取である。
【０００７】
上記方法において、前記認証情報は、一つ又は複数のスタイラスペンに認証を行うための情報である。
【０００８】
スタイラスペンに設置されたタグ装置に予め設定されたタグ情報を検出し、検出結果に基づいて前記スタイラスペンに認証を行う検出装置が設けられた端末を提供する。
【０００９】
上記端末において、前記検出装置は、ＲＦＩＤリーダー又はＮＦＣリーダーである。
【００１０】
上記端末において、前記端末に認証機能をオン及び/又はオフする制御ブロックがさらに設置される。
【００１１】
端末が前記スタイラスペンに認証を行うためのスタイラスペンのタグ情報が予め設定されて前記端末に検出されるタグ装置が設置されるスタイラスペンを提供する。
【００１２】
上記スタイラスペンにおいて、前記タグ装置は、電子チップである。
【００１３】
上記スタイラスペンにおいて、前記電子チップは、ＲＦＩＤチップ又はＮＦＣチップである。
【発明の効果】
【００１４】
本発明の端末認証方法及び端末によると、端末の本体に検出装置を設置し、端末の検出装置に検出されるタグ装置をスタイラスペンに設置し、検出装置によってタグ装置に予め設定されたタグ情報を読み取る形態で、最終的にスタイラスペンに認証を行う目的を実現し、既存技術において端末がスタイラスペンに認証を行うことができない技術課題を解決し、新規の端末利用安全性保護の技術案を提供した。
【図面の簡単な説明】
【００１５】
【図１】本発明の実施例に係る端末認証方法を示すフローチャートである。
【図２】本発明の実施例に係る端末を示す図である。
【図３】本発明の他の実施例に係る端末を示す図である。
【図４】本発明の他の実施例に係る端末を示す図である。
【図５】本発明の実施例に係る端末におけるスタイラスペン管理インターフェースを示す図である。
【図６】本発明の実施例に係るスタイラスペンを示す図である。
【発明を実施するための形態】
【００１６】
本発明の基本思想は、端末に検出装置を設置し、スタイラスペンに前記検出装置が検出可能のタグ装置を設置し、前記検出装置が、前記タグ装置に予め設定されたタグ情報を検出し、検出結果に基づいて前記スタイラスペンを認証することである。
【００１７】
以下、具体的な実施形態と図面を結合して本発明を詳しく説明する。
実施例１：
図１は、本発明の実施例に係る端末認証方法を示すフローチャートで、図１に示すように、以下のステップを含む。
端末に検出装置を設置し、スタイラスペンに当該検出装置が検出可能のタグ装置を設置する（Ｓ０１）。
【００１８】
検出装置によりタグ装置に予め設定されたタグ情報を読み取って、読み取られたタグ情報と端末に予め設定された認証情報とを整合し（Ｓ０２）、整合結果が一致すると、Ｓ０３を実行し、整合結果が一致しないと、Ｓ０４を実行する。
【００１９】
端末は、スタイラスペンによる後続の操作への応答を許可する（Ｓ０３）。
端末は、スタイラスペンによる後続の操作への応答を拒絶する（Ｓ０４）。
【００２０】
図２は、本発明の実施例に係る端末を示す図であり、図２に示すように、端末１に、スタイラスペンに設置されたタグ装置に予め設定されたタグ情報を検出し、検出結果に基づいて、当該スタイラスペンに認証を行う検出装置１１が設置された。
【００２１】
本実施例の端末は、ケータイ、ＭＰ３プレーヤー、ＭＰ４プレーヤー等であるが、これに限られることはない。本実施例の検出装置がタグ装置に予め設定されたタグ情報を読み取る方法は、非接触式読取と接触式読取の中の一つであって、非接触式読取であることが好ましく、検出装置として端末に無線識別（ＲＦＩＤ：Radio Frequency IDentification）リーダー又は近距離通信（ＮＦＣ：Near Field Communication）リーダーを設置し、対応に、タグ装置としてスタイラスペンにＲＦＩＤチップ又はＮＦＣチップを設置し、スタイラスペンにＲＦＩＤチップ又はＮＦＣチップを設置する方式は、内臓又は外部貼付け等の方式を含み、端末に検出装置としてＲＦＩＤリーダーを設置し、対応に、スタイラスペンにタグ装置としてＲＦＩＤチップを設置する場合を例にすると、ＲＦＩＤリーダーは絶えずにアンテナを介して特定周波数の無線周波信号を送信し、ＲＦＩＤリーダーの一定の範囲内で駆動電磁界を形成し、ＲＦＩＤチップが電磁界に入った後、内部回路が励起された誘導電流を発生し、誘導電流からエネルギーを取得し、ＲＦＩＤチップに記憶されたタグ情報を外部に送信し、ＲＦＩＤリーダーは、再びアンテナを介してこれらのタグ情報を取得し、ＲＦＩＤチップに予め設定されたスタイラスペンのタグ情報を読み取っていて、当該タグ情報は、位置するスタイラスペンの唯一のマーク情報を含む。
【００２２】
また、スタイラスペンによって端末に操作を行う場合、持続的又は間接的にスタイラスペンを認証して、他のスタイラスペンに変換して端末に操作を行うことによってユーザの情報を露出してしまうことを防止することができる。
【００２３】
また、スタイラスペンが認証された後、当該スタイラスペンが一定の時間範囲内において端末に何の操作も行っていないと、端末はスタイラスペンへの応答を自動的にオフし、スタイラスペンで端末に再び操作しようとすると、再度の認証を行う必要があるように設置する。
【００２４】
また、ユーザがスクリーンを閉めた時、端末はスタイラスペンへの応答を自動的にオフし、次に利用する際にスタイラスペンを再度認証することができる。
【００２５】
また、ユーザが簡単にスタイラスペンの認証をスタートするように、端末に簡単な操作方式、例えば端末に認証機能をオン及び/又はオフする制御ブロックを設置することができ、ここで、制御ブロックはさまざまな実施形態を含み、キー又はスクリーンに認証応答領域を設置する等であることができる。キーの形態もさまざまで、例えば、端末に既に設定されたキーの組合せと長時間押して多重化する形態であることができれば、認証機能をオン及び/又はオフするための専門キーを設置する形態であることもできる。図３は、本発明の他の実施例に係る端末を示す図である。図３に示すように、当該端末１に検出装置１１が設置されて、また、認証機能をオン及び/又はオフするためのキー１２が設置されている。正常な待機状態で、ユーザがキーを押すと、認証機能をオンし、端末に設置されたＲＦＩＤリーダーが電磁界を発射しＲＦＩＤタグがフィードバックしたタグ情報の読み取りを準備することができ、また、ユーザ自分の需要に応じて、当該キーによって認証機能をオフすることもできる。スクリーンに認証制御タッチパネル領域を設置することもできる。図４は、本発明の他の実施例に係る端末を示す図である。当該端末１に検出装置１１が設置され、また、認証機能をオン及び/又はオフするための認証制御タッチパネル領域１３も設置される。ユーザは、端末の提示に応じて、一定の軌跡又は目標に従って、スライダをスライドし、空白領域を充填してタッチパネル操作を行って、認証機能のオン及び/又はオフを実現することができる。
【００２６】
また、端末に予め設定された認証情報は、一つ又は複数のスタイラスペンを認証する情報を含み、端末にスタイラスペン追加/削除ブロックを設置することができ、当該スタイラスペン追加/削除ブロックは、端末に複数のスタイラスペンを認証するための情報を予め記憶し、端末が応答可能の他のスタイラスペンのユーザによる追加を許可することによって、ユーザが特定のスタイラスペンを失った後に端末に操作を行うことができない問題を防止でき、また、端末非利用者が応答可能のスタイラスペンを自由に追加することを防止するため、ユーザがメニューに従って当該機能をスタートした後、端末は、まず、ユーザにパスワードの入力を要求し、パスワードが正確であると、当該機能をスタートでき、ユーザが正確なパスワードを入力した後、端末の検出装置、例えばＲＦＩＤリーダーによって駆動電磁界を発射し、新しいタグ情報の読み取りを開始し、一定の時間内にタグ情報が読み取られないと、タイムアウトしてログアウトし、一定の時間内に新しいスタイラスペンタグ情報が読み取られると、当該タグ情報を端末に記憶し、新しいスタイラスペン情報として記憶し、次の当該スタイラスペンの認証用の認証情報とする。
【００２７】
端末が複数のスタイラスペンに応答可能である場合、端末にスタイラスペンリストを設定し、端末の検出装置によってスタイラスペンのタグ情報を読み取った後、当該タグ情報と端末におけるスタイラスペンリスト中のスタイラスペンの情報と整合し、整合に成功していないと、継続して当該リスト中の他のスタイラスペンの情報と整合し、整合されると、端末は当該スタイラスペンが、ユーザが応答を許可したスタイラスペンであると認めて、スタイラスペンの入力に対応する応答を行い、全部と整合した後、依然として整合成功したスタイラスペン情報が存在しないと、端末は当該スタイラスペンが、ユーザが応答を許可していないスタイラスペンであると認めて、当該スタイラスペンの全ての操作を拒絶する。
【００２８】
対応に、当該スタイラスペン追加/削除ブロックによって、ユーザに、一定の条件で、例えばパスワードを正確に入力した後、端末が継続して応答しないように、現在正常に認証し応答しているスタイラスペンを削除することを許可することができる。
【００２９】
ユーザによる体験度をさらに向上するため、端末に新しいスタイラスペン情報を追加する際、ユーザに当該スタイラスペンに対し、例えば端末にスタイラスペン管理ブロックを設置する等の特定の個性化設置を行うように忠告することができる。ここで、当該ブロックは、スタイラスペンのリネーム、表示画面の追加、クループ設定、応答ベルの設定、認証通過指示音の設定、応用場景モードの設定等の機能を有する。
【００３０】
ユーザがスタイラスペンの名称を設定し当該スタイラスペンに対応する画面、応答ベル、認証通過指示音を設定したと、認証に通過した場合、予め設定した認証通過指示音を流して、特定の位置に、当該スタイラスペンの名称、画面を表示し、スタイラスペン操作時に、予め設定した応答ベルを放送することができる。
【００３１】
ユーザが、当該スタイラスペンを利用する場合に対応する場景モードを設定していると、例えばあるスタイラスペンを利用する場合、端末はマナーモード又は対応する特別な電話、目覚まし時計ベル等になると設定していると、当該スタイラスペンの認証に通過した後、端末は対応する場景モードに自動的に切り替えする。例えば、ユーザが当該スタイラスペンに対応する壁紙、デスクトップ、ベル等を設定していると、当該スタイラスペンの認証に通過した後、端末は、対応する壁紙、デスクトップ、ベルに自動的に切り替えする。例えば、ユーザが、当該スタイラスペンに対応する呼び出し制御を設定していると、例えばあるスタイラスペンを用いている時は電話を受けなく他の番号にリダイレクトすると設定していると、当該スタイラスペンの認証に通過した後、端末は、応答呼出制御を自動的にオンする。また、例えば、ユーザが当該スタイラスペンに対応するホワイトリスト/ブラックリストを設定していると、当該スタイラスペンの認証に通過した後、端末は、当該ホワイトリスト/ブラックリストを自動的にオンする。また、スタイラスペンの認証と端末によるスクリーン操作のロック解除とを合わせることができ、例えば、認証に成功した後、自動的にスクリーンのロックを解除するように設定することができる。端末にとって、一部の個性的な設定はスタイラスペンの削除によって削除され、スタイラスペンの回復によって回復されることができる。
【００３２】
図５は、本発明の実施例に係る端末におけるスタイラスペン管理インターフェースを示す図であり、図５に示すように、スタイラスペン管理インターフェースは、スタイラスペンリストと、オプションメニューと、メニュー終了とを含み、スタイラスペンリストが、現在端末が応答可能のスタイラスペンの名称、例えばＡ、Ｂ、Ｃを並べていて、オプションメニューが、スタイラスペンの追加、スタイラスペンの削除、スタイラスペンの設定等の選択項目を含み、オプションメニューでメニューをドロップダウンする方式で表示することができ、スタイラスペンの設定の選択項目をクリックした後、スタイラスペンの設定のオプションメニューでメニューのドロップダウン方式を設定して以下の選択項目に入ることができる。
１）スタイラスペンのリネーム：選択されたスタイラスペンの表示名称を補正する。
２）画面の設定：選択されたスタイラスペンの表示画面を再び設定する。
３）応答ベルの設定：選択されたスタイラスペンの操作応答音を設定する。
４）場景モード：あるスタイラスペンを利用する際、端末は自動的に場景モードに切り替える。
５）警告語：あるスタイラスペンを利用する際、端末がインターフェースで自動的に表示する個性的な警告語を設定する。
６）グループ管理：スタイラスペンをグループに分けて対応の管理を行う。
本実施例による端末におけるスタイラスペン管理インターフェースは上記の実施形態に限られない。
【００３３】
図６は、本発明の実施例に係るスタイラスペンを示す図であり、図６に示すように、端末に検出されるタグ装置２２がスタイラスペン２に設置され、タグ装置には、端末が当該スタイラスペンに認証を行う際に用いられるスタイラスペンのタグ情報が予め設定されていて、タグ装置が電子チップに限られず、ＲＦＩＤチップ又はＮＦＣチップの中の一つであることが好ましい。
【００３４】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【図１】
0005894662.tif 000002
【図２】
0005894662.tif 000003
【図３】
0005894662.tif 000004
【図４】
0005894662.tif 000005
【図５】
0005894662.tif 000006
【図６】
0005894662.tif 000007